【手続補正書】
【提出日】平成17年4月15日(2005.4.15)
【手続補正１】
【補正対象書類名】特許請求の範囲
【補正対象項目名】全文
【補正方法】変更
【補正の内容】
【特許請求の範囲】
【請求項１】
内面および外面を含む管であって、内面が、複数の主フィン、複数の中間フィン、および、隣り合う主フィンにより画成された複数の溝を含み、複数の中間フィンが複数の溝の少なくとも幾つかに配置され且つ管の内面上に格子状パターンを形成し、管の内面の長さの一部に沿って延在するチャネルにより、主フィン及び中間フィンの少なくとも第１の部分と、主フィン及び中間フィンの少なくとも第２の部分とが分離されている管。
【請求項２】
管が金属を含む請求項１に記載の管。
【請求項３】
さらに、非金属材料を含む請求項１に記載の管。
【請求項４】
管が円形の断面形状を含む請求項１に記載の管。
【請求項５】
管の外面が滑らかである請求項１に記載の管。
【請求項６】
管の外面に輪郭が形成されている請求項１に記載の管。
【請求項７】
複数の主フィンの少なくとも幾つかが互いに平行に向けられている請求項１に記載の管。
【請求項８】
複数の主フィンが、第１の主フィンピッチを有する第１の隣り合う主フィンの組と、第２の主フィンピッチを有する第２の隣り合う主フィンの組とを含み、第１の主フィンピッチが第２の主フィンピッチと等しくない請求項１に記載の管。
【請求項９】
複数の主フィンの少なくとも幾つかが、丸み付き先端を有する三角形を実質的に含む断面形状を有する請求項１に記載の管。
【請求項１０】
複数の主フィンの少なくとも幾つかが、実質的に直線状の断面形状を有する請求項１に記載の管。
【請求項１１】
複数の主フィンの少なくとも幾つかが、ほぼ曲線状の断面形状を有する請求項１に記載の管。
【請求項１２】
さらに、長手方向の軸を含み、複数の主フィンの少なくとも幾つかが前記長手方向軸に対して所定の角度に向けられている請求項１に記載の管。
【請求項１３】
複数の主フィンの少なくとも幾つかが、長手方向に対して５度〜５０度の間の角度に向けられている請求項１２に記載の管。
【請求項１４】
複数の主フィンの少なくとも幾つかが長手方向に対して５度〜３０度の間の角度に向けられている請求項１３に記載の管。
【請求項１５】
複数の主フィンの少なくとも幾つかが、さらに、主フィンの幅を横切る切断部を含む請求項１に記載の管。
【請求項１６】
複数の中間フィンの少なくとも幾つかが、隣り合う主フィンと接している請求項１に記載の管。
【請求項１７】
複数の中間フィンが、第１の中間フィンピッチを有する第１の隣り合う中間フィンの組と、第２の中間フィンピッチを有する第２の隣り合う中間フィンの組とを含み、第１の中間フィンピッチが第２の中間フィンピッチと等しくない請求項１に記載の管。
【請求項１８】
複数の中間フィンの少なくとも幾つかが、主フィンの少なくとも幾つかに対して所定の角度に向けられている請求項１に記載の管。
【請求項１９】
複数の中間フィンの少なくとも幾つかが、主フィンの少なくとも幾つかに対して４５度〜１３５度の間の角度に向けられている請求項１８に記載の管。
【請求項２０】
複数の中間フィンの少なくとも幾つかが、溝内に配置された自立構造の幾何学的形状を含む請求項１に記載の管。
【請求項２１】
複数の中間フィンの少なくとも幾つかが、丸み付き先端を有する三角形を実質的に含む断面形状を有する請求項１に記載の管。
【請求項２２】
複数の中間フィンの少なくとも幾つかが、実質的に直線状の断面形状を有する請求項１に記載の管。
【請求項２３】
複数の中間フィンの少なくとも幾つかが、ほぼ曲線状の断面形状を有する請求項１に記載の管。
【請求項２４】
複数の中間フィンの少なくとも幾つかが、さらに、中間フィンの幅を横切る切断部を含む請求項１に記載の管。
【請求項２５】
内面および長手方向軸を含む管であって、内面が、
ａ．複数の主フィンであって、複数の主フィンの少なくとも幾つかが互いに実質的に平行に向けられており、かつ、複数の主フィンの少なくとも幾つかが長手方向軸に対して所定の角度に向けられており、複数の主フィンが主フィンの第１の部分と第２の部分とに分割されている複数の主フィンと、
ｂ．隣り合う主フィンにより画成される複数の溝と、
ｃ．複数の中間フィンであって、複数の中間フィンが複数の溝の少なくとも幾つかに配置されており、かつ、複数の中間フィンの少なくとも幾つかが主フィンの少なくとも幾つかに対して所定の角度に向けられている複数の中間フィンと、
ｄ．主フィンの第１の部分と主フィンの第２の部分との間に延在するチャネル上に設けられた掘り溝とを含む管。
【請求項２６】
管が、実質的に長円形の断面形状を含む請求項１に記載の管。
【請求項２７】
管が、円弧により連結された２つの実質的に平行なラインを含む断面形状を有する請求項１に記載の管。
【請求項２８】
複数の主フィンが第１の主フィンの組および第２の主フィンの組を含み、複数の溝が、第１の主フィンの組により画成された第１の溝の組と、第２の主フィンの組により画成された第２の溝の組とを含み、複数の中間フィンが、第１の溝の組の少なくとも幾つかに配置された第１の中間フィンの組と、第２の溝の組の少なくとも幾つかに配置された第２の中間フィンの組とを含み、第１の主フィンの組が、第２の主フィンの組に対して所定の角度に向けられている請求項１に記載の管。
【請求項２９】
第１の主フィンの組と第２の主フィンの組が交差している請求項２８に記載の管。
【請求項３０】
第１の主フィンの組と第２の主フィンの組が、管の内面の長さの一部に沿って延在する少なくとも１つのチャネルにより分離されている請求項２８に記載の管。
【請求項３１】
内面および外面を含む熱伝達管であって、内面が、
ａ．２つのフィンの組であって、（ｉ）隣り合う主フィン間に溝を画成する複数の隣り合う主フィンと、（ｉｉ）隣り合う主フィン間の少なくとも幾つかの溝に配置された複数の長さの短い中間フィンであって、複数の長さの短い中間フィンが隣り合う主フィンの数より多くの数で設けられている複数の長さの短い中間フィンとを含む２つのフィンの組と、
ｂ．２つのフィンの組を分割し、流体熱伝達媒体を２つのフィンの組間に流すための掘り溝を備えるチャネルとを含む熱伝達管。
【請求項３２】
複数の長さの短い中間フィンの少なくとも幾つかが、隣り合う主フィンの少なくとも幾つかに対して所定の角度に向けられている請求項３１に記載の管。
【請求項３３】
複数の長さの短い中間フィンの少なくとも幾つかが、隣り合う主フィンの少なくとも幾つかに対して４５度〜１３５度の間の角度に向けられている請求項３２に記載の管。
【請求項３４】
内面および外面を含む管であって、内面が、
ａ．実質的に互いに平行に配置された複数の主フィンの第１の組であって、（ｉ）複数の主フィン軸と、（ｉｉ）隣り合う主フィンの各組間の溝の第１の組とを画成する複数の主フィンの第１の組と、
ｂ．主フィンの第１の組の量より大きな量で設けられた複数の中間フィンの第１の組であって、溝の第１の組の少なくとも幾つかに実質的に互いに平行に配置されている複数の中間フィンの第１の組と、
ｃ．実質的に互いに平行に配置され、且つ、チャネルにより主フィンの第１の組から離れて間隔をあけられている複数の主フィンの第２の組であって、（ｉ）複数の主フィン軸と、（ｉｉ）隣り合う主フィンの各組間の溝の第２の組とを画成する複数の主フィンの第２の組と、
ｄ．主フィンの第２の組の量より大きな量で設けられた複数の中間フィンの第２の組であって、溝の第２の組の少なくとも幾つかに実質的に互いに平行に配置されている複数の中間フィンの第２の組と、
ｅ．主フィン及び中間フィンの第１の組と主フィン及び中間フィンの第２の組とを分離するチャネルとを含む管。
【請求項３５】
複数の中間フィンの少なくとも幾つかが、隣り合う主フィンの少なくとも幾つかに対して所定の角度に向けられている請求項３４に記載の管。
【請求項３６】
複数の中間フィンの少なくとも幾つかが、隣り合う主フィンの少なくとも幾つかに対して４５度〜１３５度の間の角度に向けられている請求項３５に記載の管。
【請求項３７】
さらに、複数のチャネルにより主フィン及び中間フィンの複数の第２の部分から分離された主フィン及び中間フィンの複数の第１の部分を含む請求項１に記載の管。
【請求項３８】
さらに、主フィンの２つ以上の第１及び第２の部分を分割する２つ以上のチャネルを含む請求項２５に記載の管。
【請求項３９】
さらに、３つ以上のフィンの組を含み、フィンの各組がチャネルにより分割されている請求項３１に記載の管。
【請求項４０】
さらに、主フィン及び中間フィンの複数の第１の組と、主フィン及び中間フィンの複数の第２の組とを分離する複数のチャネルを含む請求項３４に記載の管。